(57)【要約】【課題】  光ピックアップ移送装置及びそれを採用したディスクドライブを提供すること。【解決手段】  ステップモータと、ステップモータと連結されて回転しつつ、光ピックアップをディスクの半径方向へ移送させるリードスクリューと、リードスクリューと平行に設けられて光ピックアップをディスクの半径方向へ移送させるべく案内するものであって、ステップモータから伝えられる電気的衝撃及び振動を絶縁させて光ピックアップに電気的衝撃または振動を伝えさせない絶縁部を備える複数のガイドシャフトと、を備える光ピックアップ移送装置。【選択図】  図２
2005251380.tif 000002
【特許請求の範囲】
【請求項１】
ステップモータと、
前記ステップモータと連結されて回転しつつ、光ピックアップをディスクの半径方向へ移送させるリードスクリューと、
前記リードスクリューと平行に設けられて、前記光ピックアップを前記ディスクの半径方向へ移送させるべく案内するものであって、前記ステップモータから伝えられる電気的衝撃及び振動を絶縁させ、前記光ピックアップに電気的衝撃または振動を伝えさせない絶縁部を備える複数のガイドシャフトと、を含むことを特徴とする光ピックアップ移送装置。
【請求項２】
前記絶縁部は、前記ガイドシャフトの両端に各々挟まれるように設けられる複数のキャップよりなることを特徴とする、請求項１に記載の光ピックアップ移送装置。
【請求項３】
前記絶縁部は、前記ガイドシャフトの両端に各々コーティングされていることを特徴とする、請求項１に記載の光ピックアップ移送装置。
【請求項４】
前記絶縁部は、前記ガイドシャフトの外周部を取り囲むようにモールディングされていることを特徴とする、請求項１に記載の光ピックアップ移送装置。
【請求項５】
前記絶縁部は、前記光ピックアップが前記ディスクの半径方向に往復する長さほど前記ガイドシャフトの軸線方向に沿って備えられていることを特徴とする、請求項４に記載の光ピックアップ移送装置。
【請求項６】
ハウジングと、
前記ハウジングに出入可能に設けられてディスクを装着するトレイと、
ディスクが載置されるターンテーブル及び前記ターンテーブルを回転させるスピンドルモータ及び前記ディスクに／から情報を記録／再生する光ピックアップと、
前記光ピックアップを前記ディスクの半径方向へ移送させる光ピックアップ移送装置を備えるベースフレームと、を含むディスクドライブにおいて、
前記光ピックアップ移送装置は、
ステップモータと、
前記ステップモータと連結されて回転しつつ光ピックアップをディスクの半径方向へ移送させるリードスクリューと、
前記リードスクリューと平行に設けられて前記光ピックアップを前記ディスクの半径方向へ移送させるべく案内するものであって、前記ステップモータから伝えられる電気的衝撃及び振動を絶縁させて前記光ピックアップに電気的衝撃または振動を伝えさせない絶縁部を備える複数のガイドシャフトと、を含むことを特徴とするディスクドライブ。
【請求項７】
前記絶縁部は、前記ガイドシャフトの両端に各々挟まれるように設けられる複数のキャップよりなることを特徴とする、請求項６に記載のディスクドライブ。
【請求項８】
前記絶縁部は、前記ガイドシャフトの両端に各々コーティングされていることを特徴とする、請求項６に記載の光ピックアップ移送装置。
【請求項９】
前記絶縁部は、前記ガイドシャフトの外周部を取り囲むようにモールディングされていることを特徴とする、請求項６に記載のディスクドライブ。
【請求項１０】
前記絶縁部は、前記光ピックアップが前記ディスクの半径方向に往復する長さほど前記ガイドシャフトの軸線方向に沿って備えられていることを特徴とする、請求項９に記載のディスクドライブ。
【発明の詳細な説明】
【技術分野】
【０００１】
本発明はディスクドライブに係り、より詳細には、光ピックアップをディスクの半径方向に直線往復動させる光ピックアップ移送装置に関する。
【背景技術】
【０００２】
一般的に、ディスクドライブは、ディスクに／から情報を記録／再生する装置であって、このために光ピックアップをディスクの半径方向へ移送させる光ピックアップ移送装置を備えている。
【０００３】
図１は、従来のサブシャシ組立体の一例を示す背面図である。
【０００４】
図１を参照すれば、サブシャシ組立体１００は、サブシャシ１０１にスピンドルモータ１１０によって回転自在に同軸上に設けられて載置された光ディスク１０３を回転させるターンテーブル１１１と、光ディスク１０３の半径方向に直線往復動しつつ、光ディスク１０３に／から情報を記録／再生する光ピックアップ１２０と、光ピックアップ１２０を光ディスク１０３の半径方向に直線往復動させる光ピックアップ移送装置を備える。
【０００５】
光ピックアップ移送装置は、サブシャシ１０１に互いに所定間隔をおいて平行に設けられて光ピックアップ１２０が光ディスク１０３の半径方向に直線往復動すべく案内する１対のガイドシャフト１４１、１４２と、ガイドシャフト１４１、１４２に平行に設けられ、その外周面にネジ溝１５２が形成されたリードスクリュー１５１と、リードスクリュー１５１を回転させるステップモータ１５０と、光ピックアップ１２０とリードスクリュー１５１とを連結させてリードスクリュー１５１の回転力を直線運動に変換して光ピックアップ１２０を光ディスク１０３の半径方向に直線往復動させるスライダー１６０と、を含んで構成される。
【０００６】
ステップモータ１５０、スピンドルモータ１１０及びガイドシャフト１４１、１４２はサブシャシ１０１に設けられており、光ピックアップ１２０はガイドシャフト１４１、１４２に摺動自在に設けられている。この際、ステップモータ１５０、スピンドルモータ１１０、ガイドシャフト１４１、１４２及びサブシャシ１０１は導電性材料よりなるためにステップモータ１５０及びスピンドルモータ１１０の回転によるノイズが光ピックアップ１２０に影響を与えて光ピックアップ１２０が誤動作を起こす原因となる。
【０００７】
また、ステップモータ１５０及びスピンドルモータ１１０から漏電された電流がサブシャシ１０１及びガイドシャフト１４１、１４２を通じて光ピックアップ１２０に伝達されることによって光ピックアップ１２０に影響を与えるという問題点がある。
【発明の開示】
【発明が解決しようとする課題】
【０００８】
本発明は前記問題点を勘案したものであって、スピンドルモータ及びステップモータのノイズ及び電流が光ピックアップに伝えられないように絶縁部を備えるガイドシャフトを含む光ピックアップ移送装置を提供することを目的とする。
【課題を解決するための手段】
【０００９】
前記目的を達成するために本発明の光ピックアップ移送装置は、ステップモータと、前記ステップモータと連結されて回転しつつ、光ピックアップをディスクの半径方向へ移送させるリードスクリューと、前記リードスクリューと平行に設けられて、前記光ピックアップを前記ディスクの半径方向へ移送させるべく案内するものであって、電気的衝撃及び振動を絶縁させて、前記光ピックアップに電気的衝撃または振動を伝えさせない絶縁部を備える複数のガイドシャフトと、を含む。
【００１０】
本発明によれば、前記絶縁部は、前記ガイドシャフトの両端に挟まれるように設けられるキャップよりなる。
【発明の効果】
【００１１】
本発明に係る光ピックアップ移送装置は、ガイドシャフトの両端または外周面に絶縁部を設置して、ベースシャシを絶縁させることによって光ピックアップに電流が流れなくするか、振動を吸収することによって光ピックアップの信頼性を向上させうる。
【発明を実施するための最良の形態】
【００１２】
以下、添付した図面に基づいて本発明を詳細に説明する。
【００１３】
図２を参照すれば、ディスクドライブ２００は、メインフレーム２１０と、前記メインフレーム２１０に出入可能に設けられてディスクＤが載置される載置部２２１が備えられているトレイ２２０と、前記メインフレーム２１０に上下に回動自在に設けられるサブフレーム２３０に支持されるベースシャシ２４０と、光ピックアップ２４３をディスクＤの半径方向に直線往復動させる光ピックアップ移送装置と、を備える。
【００１４】
前記ベースシャシ２４０には、前記トレイ２２０に載置されて内部に運搬されたディスクＤが置かれるターンテーブル２４１と、前記ターンテーブル２４１と同軸上に設けられて前記ターンテーブル２４１を回転させるスピンドルモータ２４２と、前記ディスクＤの半径方向に直線往復動されつつ、ディスクＤに／から情報を記録／再生する光ピックアップ装置２４３と、が設けられる。
【００１５】
前記光ピックアップ移送装置は、ステップモータ２４４と、前記ステップモータ２４４と連結されて、前記光ピックアップ２４３を前記ディスクＤの半径方向に直線往復動させるリードスクリュー２４５と、前記リードスクリュー２４５と平行に前記ベースシャシ２４０に設けられて前記光ピックアップ２４３を前記ディスクＤの半径方向に案内し、電気的衝撃または振動を絶縁させることによって、前記光ピックアップ２４３に電気的衝撃または振動を伝えさせない絶縁部２５０と、を備える複数のガイドシャフト２４６、２４７を含む。
【００１６】
図３を参照すれば、本発明の第１実施形態に係る前記絶縁部２５０は、前記ガイドシャフト２４６、２４７の両端に挟まれるように設けられるキャップよりなっている。
【００１７】
図４及び図５を参照すれば、前記ガイドシャフト２４６、２４７は、前記ベースフレーム２４０から延びて一側に前記絶縁部２５０を挟んだ状態で挿入しうるように複数の突出部２４８２が所定間隔で備えられており、スクリュー２４８３を挿入しうるように貫通ホール２４８１が形成されている支持部２４８によってその一端が支持される。
【００１８】
そして、前記絶縁部２５０は、前記支持部２４８を取り囲むように設けられて前記支持部２４８に挿入される前記絶縁部２４８を上側から押圧する弾性部材２４８４によって下方に押されており、前記貫通ホール２４８１に挟まれる前記スクリュー２４８３によって上方に押されて固定される。
【００１９】
前記絶縁部２５０は、電流の流れない不導体よりなることが望ましく、また外部衝撃や振動をある程度吸収できる部材よりなることが望ましい。
【００２０】
したがって、前記ベースシャシ２４０、前記弾性部材２４８４及び前記スクリュー２４８３が導体であっても、前記絶縁部２５０によって電流が遮断されて前記ガイドシャフト２４６、２４７に電流が流れなくなるので、前記ガイドシャフト２４６、２４７に摺動自在に設けられる前記光ピックアップ２４３に電流が流れなくなる。
【００２１】
図６を参照すれば、本発明の第２実施形態に係る絶縁部２６０は、前記ガイドシャフト２４６、２４７の両端にモールディング処理されているか、またはコーティングされている。
【００２２】
したがって、図５に示す第１実施形態のように前記支持部２４８に前記ガイドシャフト２４６、２４７の両端が支持されれば、前記絶縁部２６０は前記支持部２４８、前記弾性部材２４８４及びスクリュー２４８３と前記ガイドシャフト２４６、２４７を絶縁させることによって、光ピックアップ２４３に電流が流れないようにする。
【００２３】
図７を参照すれば、本発明の第３実施形態に係る絶縁部２７０は、前記ガイドシャフト２４６、２４７の外周面を取り囲むようにモールディングされている。または前記絶縁部２７０は、外周面にコーティングされている。前記絶縁部２７０は、前記ガイドシャフト２４６、２４７に前記光ピックアップ２４３が直線往復動する長さほど、前記ガイドシャフト２４６、２４７の軸線方向に沿って備えられていることが望ましい。
【００２４】
前記ガイドシャフト２４６、２４７は、図５及び図６に示された第１及び第２実施形態のように、その両端が前記支持部２４８によって支持されており、前記光ピックアップ２４３は前記絶縁部２７０に接触しつつ、前記ガイドシャフト２４６、２４７に沿って直線往復動される。
【００２５】
したがって、前記ガイドシャフト２４６、２４７に前記支持部２４８を通して、前記スピンドルモータ２４２及びステップモータ２４４から電流が流れても、前記絶縁部２７０によって電流の流れが遮断されて、電流は前記光ピックアップ２４３に流れなくなる。
【産業上の利用可能性】
【００２６】
本発明は、ディスクドライブの光ピックアップ移送装置関連技術分野に好適に適用しうる。
【図面の簡単な説明】
【００２７】
【図１】従来のサブシャシ組立体の一例を示す背面図である。
【図２】光ピックアップ移送装置が適用されたディスクドライブを概略的に示す斜視図である。
【図３】本発明の第１実施形態に係るガイドシャフトを示す斜視図である。
【図４】図３に示されたガイドシャフトがベースシャシに固定される構成を示す斜視図である。
【図５】図３に示されたガイドシャフトがベースシャシに固定される構成を示す側断面図である。
【図６】本発明の第２実施形態に係るガイドシャフトを示す横断面図である。
【図７】本発明の第３実施形態に係るガイドシャフトを示す横断面図である。
【符号の説明】
【００２８】
２００  ディスクドライブ
２１０  メインフレーム
２２１  載置部
２２０  トレイ
２３０  サブフレーム
２４０  ベースシャシ
２４１  ターンテーブル
２４２  スピンドルモータ
２４３  光ピックアップ装置
２４４  ステップモータ
２４５  リードスクリュー
２４６、２４７  ガイドシャフト
２５０  絶縁部
【図１】
2005251380.tif 000003
【図２】
2005251380.tif 000004
【図３】
2005251380.tif 000005
【図４】
2005251380.tif 000006
【図５】
2005251380.tif 000007
【図６】
2005251380.tif 000008
【図７】
2005251380.tif 000009